Podtech/llm-jp-corpus-v4-ja_patent huggingface dataset:
(57)【要約】【課題】微小な液体が気体と共に出口に運び出されることを防止して、気液の分離効率が高い気液分離器を提供する。【解決手段】本体１と出入口部材２と底蓋３とでケーシングを形成し、本体１と隔壁部材９で形成する環状空間１０に旋回羽根１１を配置する。環状空間１０の上方を入口４に連結し、環状空間１０の下方に旋回室１３と旋回室１３の下方に排液室１４を形成し、排液室１４の下部を排液口６に連結する。旋回室１３の横に排液室１４から上方に連結する排気室１５を形成し、排気室１５の上部を排気口５に連結する。【選択図】            図１
2004337735.tif 000002
【特許請求の範囲】
【請求項１】
ケーシングと隔壁部材で形成する環状空間に旋回羽根を配置し、環状空間の上方を入口に連結し、環状空間の下方に旋回室と該旋回室の下方に排液室を形成し、排液室の下部を排液口に連結したものにおいて、旋回室の横に排液室から上方に連結する排気室を形成し、排気室の上部を排気口に連結したことを特徴とする気液分離器。
【発明の詳細な説明】
【０００１】
【発明の属する技術分野】
本発明は、蒸気や圧縮空気や各種ガス等の気体中に混入している復水や凝縮水等の液体をケーシング内に旋回流を起こして遠心力によって分離する気液分離器に関する。
【０００２】
【従来の技術】
【特許文献１】
特公平５−６６１６３号公報
従来の気液分離器は、ケーシングと隔壁部材で形成する環状空間に旋回羽根を配置し、環状空間の上方を入口に連結し、隔壁部材の内側の孔を排気口に連結し、環状空間の下方に旋回室と該旋回室の下方に排液室を形成し、排液室の下部を排液口に連結したものであり、入口からの流体を旋回羽根で旋回せしめることにより、遠心力の作用で水滴を外側に振り出して排液室に流下させて排液口から流出させ、旋回流の中央よりの気体を隔壁部材の内側の孔を通して排気口から流出させるものである。この一例が特公平５−６６１６３号公報に示されている。
【０００３】
【発明が解決しようとする課題】
上記従来技術の気液分離器においては、旋回室の中央よりを旋回している微小な液体が隔壁部材の下端から内側の孔を通して出口に流出する気体と共に出口に運び出されてしまう問題があった。
【０００４】
従って、本発明の技術的課題は、微小な液体が気体と共に出口に運び出されることを防止して、気液の分離効率が高い気液分離器を提供することである。
【０００５】
【課題を解決するための手段】
上記の技術的課題を解決するために講じた本発明の技術的手段は、ケーシングと隔壁部材で形成する環状空間に旋回羽根を配置し、環状空間の上方を入口に連結し、環状空間の下方に旋回室と該旋回室の下方に排液室を形成し、排液室の下部を排液口に連結したものにおいて、旋回室の横に排液室から上方に連結する排気室を形成し、排気室の上部を排気口に連結したことを特徴とする気液分離器にある。
【０００６】
【発明の実施の形態】
本発明は、旋回室の横に排液室から上方に連結する排気室を形成し、排気室の上部を排気口に連結したものである。すなわち、排気口に連結する排気室が隔壁部材の下方に位置する排液室から連結したものであるので、微小な液体が気体と共に出口に運び出されることを防止でき、気液の分離効率が高い気液分離器を提供することができる。
【０００７】
【実施例】
上記の技術的手段の具体例を示す実施例を説明する（図１参照）。ケーシングは本体１に出入口部材２と底蓋３を夫々溶接して形成する。出入口部材２は左右に入口４と排気口５を有する。底蓋３は下端中央に排液口６を有する。
【０００８】
本体１と出入口部材２は中央に内部を左右に仕切る仕切部材７，８を有する。本体１の左室は円筒形状で上部内面の直径を大きく形成し、上部内面と下部内面との間の環状の段部に、二重のほぼ円筒形状の隔壁部材９を載せ、隔壁部材９を出入口部材２との間で固定する。隔壁部材９の外側円筒は省略して本体１で兼用してもよい。隔壁部材９の内外円筒の間に形成される環状空間１０に隔壁部材９と一体に旋回羽根１１を形成する。
【０００９】
入口４は下方の環状空間１０に連結する。隔壁部材９の内側円筒の内側は遮断部材１２で遮断する。環状空間１０の下方に仕切部材８の下端に達する旋回室１３を形成し、旋回室１３の下方に左室から右室に渡る排液室１４を形成する。排液室１４の下端中央は排液口６に連結する。排液室１４の上方の右室に排気室１５を形成する。排気室１５の上部は排気口５に連結する。排気室１５に微小な液体を捕捉するフィルタを配置してもよい。
【００１０】
入口４から入った液体を含む気体は旋回羽根１１で旋回せしめられる。液体は遠心力の作用で外側に振り出されて分離され、旋回室１３の内周壁に沿って排液室１４に流下し、排液口６から系外に流出する。旋回流の中央部の気体は仕切部材８の下端から排気室１５を通って排気口５から流出する。
【００１１】
【発明の効果】
上記のように本発明によれば、排気口に連結する排気室を隔壁部材の下方に位置する排液室から連結することにより、微小な液体が気体と共に出口に運び出されることを防止でき、気液の分離効率が高い気液分離器を提供することができるという優れた効果を生じる。
【図面の簡単な説明】
【図１】本発明の気液分離器の断面図。
【符号の説明】
１    本体
２    出入口部材
３    底蓋
４    入口
５    排気口
６    排液口
７，８    仕切部材
９    隔壁部材
１０    環状空間
１１    旋回羽根
１２    遮断部材
１３    旋回室
１４    排液室
【図１】
2004337735.tif 000003
(57)【要約】【課題】梅酒本来の深みとコクを生かしながら、青梅がもつ果実本来の爽やかなフレッシュ感のある香味を有し、梅酒の消費拡大を図ることができる梅酒の製造方法を提供する。【解決手段】従来の製法で熟成させた梅酒に、青梅のストレート果汁、青梅の濃縮果汁、青梅の砂糖抽出果汁等の梅果汁を添加することにより、青梅がもつ果実本来の爽やかなフレッシュ感のある香味の梅酒となる。【選択図】  なし【特許請求の範囲】
【請求項１】
熟成させた梅酒に梅果汁を添加することを特徴とする梅酒の製造方法。
【請求項２】
熟成させた梅酒に梅果汁とその他の果汁を添加することを特徴とする梅酒の製造方法。
【請求項３】
熟成させた梅酒に梅果汁とその他の果汁を添加することにより、濃度の高いカクテルベース等の濃縮タイプとすることを特徴とする梅酒の製造方法。
【請求項４】
上記梅果汁が、青梅のストレート果汁、青梅の濃縮果汁、青梅の砂糖抽出果汁の内の何れかであることを特徴とする請求項１乃至３の何れかに記載の梅酒の製造方法。
【発明の詳細な説明】
【０００１】
【発明の属する技術分野】
この発明は、青梅の果実本来の爽やかなフレッシュ感のある香味と梅酒本来の深みとコクを併せ持つ新規な梅酒の製造方法に関する。
【０００２】
【従来の技術】
古来より健康酒として親しまれてきた梅酒の一般的な従来の製造方法は、青梅、砂糖、ホワイトリカーを、１：１：１．８ぐらいの割合で漬け込み、最低でも３ヵ月、通常６ヵ月から１年程度熟成させて造るものであり、熟成期間中にエステル類等の芳香性をもつ深みとコクのある香味に変化していき、青梅本来の香味とは異なる独特の熟成香になる。
【０００３】
【発明が解決しようとする課題】
ところで、従来の梅酒は、梅と糖類及びアルコールを用い、所定の期間熟成させて製造するため、種子等からくる脂溶性成分等により深みやコクのある香味を有し、健康酒や食前酒として飲用されているが、熟成により青梅本来の香味とは異なるものになり、このため、梅果汁がもつフレッシュ感がなくなってしまい、梅酒の消費拡大が各種清涼飲料に比べて低迷している原因になっている。
【０００４】
そこで、この発明の課題は、梅酒本来の深みとコクを生かしながら、青梅がもつ果実本来の爽やかなフレッシュ感のある香味を有し、梅酒の消費拡大を図ることができる梅酒の製造方法を提供することにある。
【０００５】
【課題を解決するための手段】
上記のような課題を解決するため、請求項１の発明は、熟成させた梅酒に梅果汁を添加する構成を採用したものである。
【０００６】
請求項２の発明は、熟成させた梅酒に梅果汁とその他の果汁を添加する構成を採用したものである。
【０００７】
請求項３の発明は、熟成させた梅酒に梅果汁とその他の果汁を添加することにより、濃度の高いカクテルベース等の濃縮タイプとする構成を採用したものである。
【０００８】
請求項４の発明は、上記請求項１乃至３の何れかの発明において、上記梅果汁が、青梅のストレート果汁、青梅の濃縮果汁、青梅の砂糖抽出果汁の内の何れかである構成を採用したものである。
【０００９】
上記熟成させた梅酒は、梅と糖類及びアルコールを用い、所定の期間熟成させて製造し、この熟成させた梅酒に青梅の梅果汁と必要に応じてその他の果汁を添加することにより、梅酒本来の深みとコクを保ちながら、青梅の果実がもつ爽やかなフレッシュ感を生かした梅酒となり、上記熟成させた梅酒に対する梅果汁の添加量は任意に設定すればよいが、梅酒本来の深みとコクを生かしながらフレッシュ感を得るための添加量としては、熟成させた梅酒４００〜９００ｍｌに梅果汁を１００〜４００ｍｌ程度を添加すればよい。
【００１０】
【発明の実施の形態】
以下、この発明の実施の形態を説明する。
【００１１】
この発明に係る第１の梅酒の製造方法は、熟成させた梅酒に梅果汁を添加することにより、フレッシュ感のある梅酒を得るものである。
【００１２】
同第２の製造方法は、熟成させた梅酒に梅果汁とその他の果汁を添加することにより、フレッシュ感のある梅酒を得るものである。
【００１３】
同第３の製造方法は、熟成させた梅酒に梅果汁とその他の果汁を添加することにより、濃度の高いカクテルベース等の濃縮タイプとするものである。
【００１４】
上記熟成させた梅酒は、従来と同様、梅と糖類及びアルコールを用い、所定の期間熟成させて製造する。具体的な例としては、青梅、砂糖、ホワイトリカーを、１：１：１．８ぐらいの割合で漬け込み、最低でも３ヵ月、通常６ヵ月から１年程度熟成させて製造するものであり、熟成した梅酒は、種子等からくる脂溶性成分等により深みやコクのある香味を有している。
【００１５】
この熟成させた梅酒に添加する青梅の梅果汁としては、青梅のストレート果汁、青梅の果汁を煮詰める等した濃縮果汁、青梅の砂糖抽出果汁等の内の何れかを用いることができ、上記熟成させた梅酒に対する梅果汁の添加量は任意に設定すればよいが、梅酒本来の深みとコクを生かしながらフレッシュ感を得るための添加量としては、熟成させた梅酒４００〜９００ｍｌに梅果汁を１００〜４００ｍｌ程度を添加すればよい。
【００１６】
上記その他の果汁としては、レモン、オレンジ、グレープ等を挙げることができ、熟成させた梅酒に対する添加量は、熟成した梅酒の深みやコクのある香味と、青梅の梅果汁によるフレッシュ感を損なわない範囲で選択すればよい。
【００１７】
また、熟成させた梅酒には、梅果汁の他に蜂蜜等を添加するようにしてもよく、青梅の梅果汁によるフレッシュ感と蜂蜜の香味が調和した新たな梅酒を得ることができる。
【００１８】
この発明の製造方法によって製造された梅酒は、熟成させた梅酒に青梅の梅果汁を添加することにより、梅酒本来の深みとコクを生かしながら青梅の梅果汁により、爽やかなフレッシュ感のある香味を得ることができ、全く新しい香味の飲料として梅酒の消費拡大を図ることができる。
【００１９】
また、熟成させた梅酒に青梅の梅果汁とその他の果汁を添加すると、上記した梅酒にその他の果汁の香味が加わり、一段と斬新な香味の梅酒となる。
【００２０】
更に、熟成させた梅酒に梅果汁とその他の果汁を添加して、濃度の高い濃縮タイプとすれば、カクテルベース等に用いることができ、梅酒の新たな用途への使用により、梅酒の消費拡大が可能になる。
【００２１】
【発明の効果】
以上のように、この発明によると、熟成させた梅酒に梅果汁を添加することにより、梅酒本来の深みとコクを生かしながら青梅の梅果汁により、爽やかなフレッシュ感のある香味を得ることができ、全く新しい香味の飲料として梅酒の消費拡大を図ることができる。
【００２２】
また、熟成させた梅酒に梅果汁とその他の果汁を添加することにより、梅酒にその他の果汁の香味が加わり、一段と斬新な香味の梅酒となる。
【００２３】
更に、熟成させた梅酒に梅果汁とその他の果汁を添加することにより、濃度の高い濃縮タイプとすることにより、梅酒をカクテルベース等に使用することができ、梅酒の消費拡大が可能になる。
(57)【要約】【課題】生乳を発酵させることなく固め、和食に合い、しかも塩分を少なくした乳製品を開発すること。【解決手段】温めた生乳に凝固材としての酢酸を添加して撹拌し、撹拌された乳を濾過し、水分含有率を低くして固めてあることを特徴とする乳製品。【選択図】      図１
2004337094.tif 000002
【特許請求の範囲】
【請求項１】
温めた生乳に凝固材としての酢酸を添加して撹拌し、撹拌された乳を濾過し、水分含有率を低くして固めてあることを特徴とする乳製品。
【発明の詳細な説明】
【０００１】
【発明の属する技術分野】
本発明は、牛から搾った乳、即ち生乳を原料とし、生乳を最終的に固めた乳製品に関する。
【０００２】
【従来の技術】
牛乳は、五大栄養素の全てが含まれているバランスの取れた飲料であるので、健康を保つ手法の一つとして、牛乳を飲むことが一般的に推奨されている。また、牛乳は、人間の体内で作ることのできない蛋白質の必須アミノ酸を含むことから、血や肉をつくるもとになると共に、無機質のカルシウムを多量に含んでいるので、骨や歯を作るもとになり、骨粗鬆症の予防にも高い効果を発揮するものである。
【０００３】
しかし、健康を保つためとはいえ、牛乳を多量に飲むことは苦痛である。特に、高齢者は、若者に比べれば一般的には食が細いので、その傾向が強い。また、牛乳は通常、冷蔵庫に保存して冷やしてあるので、夏場であればその冷たさ故、おいしく感じて飲みたくなるのであるが、冬場には逆にその冷たさ故、牛乳を飲む気があまり起きないものである。そのせいか、牛乳の消費量は、夏場は多いが、冬場は少なく、多量の生乳が冬場には余乳となり、その活用が問題となっていた。
【０００４】
牛乳は、牛から搾った乳、即ち生乳を殺菌した飲料であるが、生乳を牛乳にするのではなく固形物とし、その固形物が季節を問わず食することが出来るようなものであれば、上記した問題は解決される。固形物の乳製品としては、チーズがあるが、チーズは製造工程で発酵させてあり、独特のにおいがあるので、和食には合わないと考えられている。そして、日本人の食生活は、基本的には和食が中心であるので、和食に合うものが望ましい。また、チーズには塩分が多く含まれており、塩分の多量の摂取は高血圧となるので、チーズの摂取量を増やすことはあまり良いとは言えない。
【０００５】
【発明が解決しようとする課題】
本発明は上記実情を考慮して創作されたもので、その解決しようとする課題は、生乳を発酵させることなく固め、和食に合い、しかも塩分を少なくした乳製品を開発することである。
【０００６】
【課題を解決するための手段】
本発明の乳製品は、温めた生乳に凝固材としての酢酸を添加して撹拌し、撹拌された乳を濾過し、水分含有率を低くして固めてあることを特徴とする。
【０００７】
温めることで生乳が殺菌される。温めたままで撹拌することで、酢酸が全体に均一に混ざる。酢酸は、凝固材の役割を果たし、また、酢酸を添加して撹拌することで、固形物となった際の乳製品の硬度が均一化する。
【０００８】
【発明の実施の形態】
本発明の乳製品は、以下の手順で製造する。材料として、生乳１リットルに対して、２２〜２５ミリリットルの割合で食酢を用意する。まず、生乳を容器に入れて撹拌しながら火で７５℃まで温め、そのまま１５分間７５℃を維持し、殺菌する。次に、火を止め、撹拌しながら食酢を少量づつ添加し、たんぱく分の凝固を所望の状態とする。撹拌するのは、食酢が添加された乳のたんぱく分の凝固状態を均一とし、固形物となった際に全体が均一な硬度となるようにするためである。続いて、図２に示すように四角形の型枠１をテーブルにおき、図３に示すように型枠１の上にさらし２を被せ、たんぱく分が所望の凝固状態となった乳を、さらし２の上から型枠１に流し込む。型枠１は、底がテーブル表面から浮いた状態となっていると共に、底と周囲に抜穴３があけてあり、さらし２の網目を通過した水分が抜穴３から型枠１の外部に排出される。抜穴３から水分が充分に排出された後に、型枠１内に落とし蓋４を入れ、３０分程経つと、体裁良く固まる。最後に、固形物となった乳製品を型枠１から取り出して、完成する。取り出した乳製品５は、乳白色で、図１に示すように表面が全体的に小さな凸凹があり、豆腐でもなく、チーズでもない食品となる。この乳製品は、冷やしてたとえば和食風にワサビ醤油で食べても良いし、温かいまま食べても良い。
【０００９】
上述した本発明の乳製品と、市販の固形状乳製品とを成分で比較したのが、次の表１である。
【００１０】
【表１】
2004337094.tif 000003
【００１１】
表１によれば、本発明品は、他の比較対象に比べて、たんぱく質とカルシウムの多さ、及びナトリウムの極端なまでの少なさが目立っている。
【００１２】
本発明は上記実施形態に限定されない。例えば、殺菌方法は、異なる温度と時間で行っても良い。
【００１３】
【発明の効果】
本発明の乳製品は、水分含有率を減らしてあるので、たんぱく質、カルシウムの量が、牛乳に比べてかなり多量となる。従って、少量食べるだけで多量のたんぱく質、カルシウムが摂取できる。しかも塩分含有量も微量なので、チーズに比べて多く摂取しても、塩分摂取量が少なくて済む。よって、健康食品であると言え、高齢者には特に適した食品である。また、固形物であるので、冬場でも夏場と同様に食べることが出来、季節を問わず食べられる。それによって、生乳が冬場に余乳となる量を減らすこともできる。さらに、チーズであれば発酵によってにおいがきついが、本乳製品は発酵させないのでにおいは微かにある程度で、和食に合う。
【図面の簡単な説明】
【図１】本発明の乳製品を示す斜視図である。
【図２】型枠を示す斜視図である。
【図３】型枠にさらしを被せた状態を示す斜視図である。
【図１】
2004337094.tif 000004
【図２】
2004337094.tif 000005
【図３】
2004337094.tif 000006
(57)【要約】【課題】従来の新聞は、開いて持つ時、幅が広くて、手で持ちにくい、また、折ったり、広げたりすると、バラバラになってまとめにくいという問題があった。【解決手段】新聞本体１は一枚の紙若しくはつながった一枚の紙であり、蛇腹に折り畳まれる。印刷方法は例えば、表面と裏面にある谷折り目の両側にある二つの見開き頁に各一ページ分の刊行内容を印刷し、両端に残した二つの見開き頁に各一ページ分または一ページ分の刊行内容を印刷することである。【選択図】図１
2004359458.tif 000002
【特許請求の範囲】
【請求項１】
一枚の紙若しくはつながった一枚の紙を蛇腹に折り畳まれたことを特徴とする新聞。
【請求項２】
一枚の紙若しくはつながった一枚の紙を蛇腹に折り畳まれ、その紙の表面と裏面にある谷折り目の両側にある二つの見開き頁に各一ページ分の刊行内容を印刷し、両端に残した二つの見開き頁に各一ページ分または一ページ分の刊行内容を印刷することを特徴とする請求項１記載の新聞。
【発明の詳細な説明】
【０００１】
【発明の属する技術分野】
本発明は、新聞の印刷方法及び製造の形態に関する。
【０００２】
【従来の技術】
従来の新聞は図３に示するように複数の二つ折りの紙を重ねて作られたものである。
【０００３】
【発明が解決しようとする課題】
しかしながら、以上に述べた従来の新聞はサイズが大きいので、真中から開いている状態で幅は二ページ分になっている、この状態を両手で持ち続けると疲れやすい。幅を狭くする為、前記開いている状態の新聞を二分の一に、または四分の一に、更にもっと小さく折る方法がある。しかし、上記従来の新聞は本や雑誌などのように真中を綴じられていないので、前記方法により、折ったり、広げたりすると、新聞自体がバラバラになってまとめにくくなる。また、電車の中などで広げすぎると他人に迷惑をかけることがある。
【０００４】
本発明は、このような従来の構成が有していた問題を解決しようとするものであり、幅を狭く、手で持ちやすくし、折ってもバラバラにならなくまとめやすい新聞を提供することを課題とする。
【０００５】
【課題を解決するための手段】
以上の課題を解決する為、請求項１の発明は、一枚の紙若しくはつながった一枚の紙を蛇腹に折り畳まれたことを特徴とする新聞である。
【０００６】
また、請求項２の発明は、一枚の紙若しくはつながった一枚の紙を蛇腹に折り畳まれ、その紙の表面と裏面にある谷折り目の両側にある二つの見開き頁に各一ページ分の刊行内容を印刷し、両端に残した二つの見開き頁に各一ページ分または一ページ分の刊行内容を印刷することを特徴とする新聞である。
【０００７】
【発明の実施の形態】
以下、本発明の実施形態を図１〜図３に基づいて説明する。
【０００８】
図１に示すように新聞本体１は蛇腹に折り畳まれている一枚の紙若しくはつながった一枚の紙である。図２に示す谷折り目２ａの両側にある見開き頁３ａと３ｂ、４ａと４ｂ、６ａと６ｂに各一ページ分の刊行内容を印刷し、両端に残した二つの見開き頁５ａと５ｂに各一ページ分または一ページ分の刊行内容を印刷している。例えば、３ａと３ｂに１ページ目の刊行内容を印刷し、４ａと４ｂに２ページ目の刊行内容を印刷し、５ａと５ｂに３ページ目の刊行内容を印刷し、６ａと６ｂに４ページ目の刊行内容を印刷されている。または、５ｂに１ページ目の刊行内容を印刷し、３ａと３ｂに２ページ目の刊行内容を印刷し、４ａと４ｂに３ページ目の刊行内容を印刷し、５ａに４ページ目の刊行内容を印刷し、６ａと６ｂに５ページ目の刊行内容を印刷されている。
【０００９】
上記実施形態によれば、本発明の見開き頁の幅は図３に示す従来の新聞の見開き頁７ａ或は７ｂの幅の二分の一にしかなっていない。したがって、新聞の幅が狭くなり、手で持ちやすくなる。これによって、本発明は電車の中などで広げすぎると他人に迷惑をかけることが避けられる。
【００１０】
また、本発明は一枚の紙若しくは一枚につながった複数の紙で作られ、折ってもバラバラにならなくまとめやすい。
【００１１】
上記実施形態では、図２に示す谷折り目２ａの両側にある見開き頁３ａと３ｂ、４ａと４ｂ、６ａと６ｂに各一ページ分の刊行内容を印刷し、両端に残した二つの見開き頁５ａと５ｂに各一ページ分または一ページ分の刊行内容を印刷することであったが、他の実施形態では、図１に示す新聞本体１にあるすべての見開き頁に各一ページ分の刊行内容を印刷し、また、三つ以上の見開き頁につながって一ページ分の刊行内容を印刷しても良い。
【００１２】
【発明の効果】
以上に説明したように、本発明の新聞は見開き頁の幅が狭くされたので、手で持ちやすい、これによって、本発明は子供使用にも適する。また、本発明は一枚の紙若しくは一枚につながった複数の紙で作られたので、折ってもバラバラにならなくまとめやすい。
【図面の簡単な説明】
【図１】本発明の実施形態を示す斜視図である。
【図２】本発明の全体を開いていた状態を示し、（ａ）は正面図、（ｂ）は（ａ）に対応する反面図である。
【図３】従来の新聞を真中から開いていた状態の斜視図である。
【符号の説明】
１  新聞本体
２ａ  谷折り目
２ｂ  山折り目
３ａ、３ｂ、４ａ、４ｂ、５ａ、５ｂ、６ａ、６ｂ、７ａ、７ｂ  見開き頁
【図１】
2004359458.tif 000003
【図２】
2004359458.tif 000004
【図４】
2004359458.tif 000005
【手続補正書】
【提出日】平成15年8月15日(2003.8.15)
【手続補正１】
【補正対象書類名】図面
【補正対象項目名】全図
【補正方法】変更
【補正の内容】
【図１】
2004359458.tif 000006
【図２】
2004359458.tif 000007
【図３】
2004359458.tif 000008
(57)【要約】【課題】微生物固定焙煎済み珈琲豆を土壌改良剤、有機物の発酵促進・分解促進剤、土壌に残留する化学肥料や農薬の分解促進剤、植物生理活性剤、水質浄化等の用途に用いる微生物資材の提供する。【解決手段】ライフサイクルに合わせた発酵菌は古来からの糸状菌発酵から酵母菌発酵に至る行程（人糞を発酵させて液肥で使用する等）に必要な天然微生物を収集して行い、微生物の栄養素を添加してエアーレーションを行い微生物群を完成させる。焙煎済み珈琲豆が本来持つ特性を活かした微生物資材で、微生物群を発酵技術で固定させた有機肥料。【特許請求の範囲】
【請求項１】
植物の栽培や成育に障害が出ないようにカフェインやフェノール系成分を発酵分解して、土壌菌や天然採取の微生物を固定した焙煎済み珈琲豆。
【請求項２】
請求項１の方法で製造された微生物固定焙煎済み珈琲豆。
【請求項３】
請求項５の用途で用いることを特徴とする微生物固定焙煎済み珈琲豆。
【請求項４】
請求項１を製造するための製造方法。
【請求項５】
請求項１から請求項３及び請求項４で製造された微生物固定焙煎済み珈琲豆を土壌改良剤、有機物の発酵促進・分解促進剤、土壌に残留する化学肥料や農薬の分解促進剤、植物生理活性剤、水質浄化等の用途に用いる。
【発明の詳細な説明】
【０００１】
【発明の属する利用分野】
この発明は、微生物固定焙煎済み珈琲豆に関するものである。
【０００２】
【従来の技術】
従来、焙煎済み珈琲豆は高品質のアミノ酸やタンパク質等の有効成分でできていることは知られていたが、植物に障害をもたらすカフェインやフェノール類成分が含まれているため農業分野や環境保全等に用いることができていなかった。又焙煎済み珈琲豆は高度な多孔体であることは知らていたが土壌菌を有効利用して植物に有効な微生物群を固定する
ことができなかった。焙煎済み珈琲豆は産業廃棄物として焼却処分や埋め立て処分するか、土壌で一年以上発酵させ籾殻等と混合して簡単な堆肥にするか、木炭等に利用されていた。
【０００３】
【発明が解決しようとする課題】
従来の産業廃棄物として埋め立て処分する方法は、埋め立て処分場からダイオキシン等の有害物質の流出問題に端を発して各自治体では処分場自体がなくなりつつある。また焼却処分もエネルギー効率の課題や処分場の設置数と焼却物の増加で処分ができにくい状況である。その為各コ−ヒ−飲料メ−カ−では、焙煎済み珈琲豆を産業廃棄物として処分す
るのではなく、有効利用する方法を模索しているのが現状である。そこで考え出された方法が焙煎済み珈琲豆と籾殻その他の農産廃棄物と混合して堆肥に利用する方法であったが、焙煎済み珈琲豆は障害を出したりで利用する方法はなかった。その方法で出来る堆肥は、他の堆肥と比較してもかわりばえのしない商品でしかなかった。即ち、高品質のアミノ酸やタンパク質等と高度な多孔体という本来持つ特性を活かせた肥料や微生物を固定してライフサイクルを応用した肥料や土壌改良剤は飲料メーカーで開発しようしたが、商品化できなかった。
【０００４】
【課題を解決するための手段】
（イ）障害物質を分解し、植物に有効な微生物群を発見開発する。
（ロ）有効土壌菌採取を行い固定する方法を開発する。
（ハ）障害物質を分解する発酵技術を開発する。
（ニ）植物に有効な微生物群を固定する技術を開発する。
（ホ）以上の開発技術からなる焙煎済み珈琲豆とその製造方法である。
【０００５】
【発明の実施の形態】
使用する土壌に合わせて施肥量は多少変化するが、植物の栄養素（ミネラル・アミノ酸・ビタミン）を含みしかも肥料分も含む資材であって、軽量且つ少量（通常１０アールに１００リットルが標準）で効果を発揮する。土壌障害の改善や地力の向上の性能があり、化学肥料等との併用も問題なくできる。土壌消毒剤を使用しないで植物の成育ができる。
【０００６】
【実施例】
以下本発明の実施例について説明する。
・ライフサイクルに合わせた発酵菌は古来からの糸状菌発酵から酵母菌発酵に至る行程（人糞を発酵させて液肥で使用する等）に必要な天然微生物を収集して行い、微生物の栄養素を添加してエアーレーションを行い微生物群を完成させる。
・焙煎済み珈琲豆を微生物豊富な土壌に置き、土壌菌を採取して発酵温度を利用して雑菌処理を行う。
・好気性発酵で焙煎済み珈琲豆を発酵槽でマニュアプラントを使用して発酵させ微生物群を散布する。油脂類やカフェイン、フェノール類を高温発酵で分解する。ＥＣ値やｐＨ、温度の管理を行い完成する。
【０００７】
【発明の効果】
本発明を使用する事により、飲料メ−カ−で処分に困っていた、焙煎済み珈琲豆を産業廃棄物として捨てるのではなく、天然有機肥料の原料として有効利用する事が出来る。この工程において使用するものは天然に有るものだけで、新たな産業廃棄物が出る事もない。成育する植物により、焙煎済み珈琲豆の成分率を５０％から１００％まで変動させ、お茶
殻や紅茶殻等繊維質のある原料と一緒に使用することが有効である。混合するものも焙煎済み珈琲豆と同様に効果の高い資材にリサイクルする。
出来上がった微生物土壌活性・改良剤は、分解特性が高く未熟堆肥の発酵補助や残留肥料の分解、成育植物の生理活性等の効果と化学肥料並の速効性が有り、微生物活動を著しく活性化して土壌を有機化するバイオ製剤となりえた。従来の堆肥や肥料を超えて土壌活性をもたらし土壌消毒剤を使用しないで植物が成育でき、環境にやさしいオーガニックなリ
サイクル資材でエコロジーに寄与する。
【図面の簡単な説明】
【図１】本発明を利用して製造した天然有機肥料の発芽試験デ−タ
【図２】本発明を利用して製造した天然有機肥料の成育試験データ
【符号の説明】
【図１】
2004359515.tif 000002
【図２】
2004359515.tif 000003
(57)【要約】【課題】輝石の大きさと輝度と色を相違させることによって、レーザーや透明半導体として有用な輝石をつくる。【解決手段】反応物に応じた物質を、励起した物質により励起状態化し反応させることによって輝石を得る。【特許請求の範囲】
【請求項１】
反応物（ｅｘｐ．ダイヤモンド−炭素、フラーレンｅｔｃ．，エメラルド−アルミニウムｅｔｃ．）に応じた酸（Ｃ４＋，Ａｌ３＋，Ｋ＋，Ｃａ２＋ｅｔｃ．）や塩基（Ｏ２−，Ｃｌ−ｅｔｃ．）や中性基（オゾン，Ｏ２，Ｈ２ｅｔｃ．）などの元素や分子を励起状態化させて、反応物を励起状態化し温度をかけて浸透させ反応させることにより目的物を得る。
【請求項２】
酸、塩基、中性基を励起状態化し反応物を励起状態化にすることにより原子吸光の変化により（エメラルド−緑⇔青，オパール−白⇔黒，ＳｉＣ（半導体）−透明ｅｔｃ．に）反応する。
【発明の詳細な説明】
【０００１】
【発明の属する技術分野】本発明は、反応物に応じた元素である酸・塩基・中性基をイオン化（励起状態化）し＋イオン放電管や−イオン放電管により照射する事により物質をイオン化（励起状態化）し温度をかけて浸透させて反応を促進させる。（必要に応じてイオンになりやすいカリウム・カルシウム・マグネシウムｅｔｃ．を混ぜてイオン化しやすくする。これにより目的物とは異なるが、触媒により反応物の色の変化ができる。）これにより反応物の大きさや輝度の相違ができる。
【０００２】
【従来の技術】気相にプラズマを照射して物質を形成する方法（プラズマ気相堆積法）で照射するのはプラズマだけでまた気相蒸着だけであった。それだけでは、物質の大きさと輝度に限界があった。本発明では、あえて反応物に応じて＋イオン放電管や−イオン放電管や励起する物質（物質とその物質に照射する物質）を換えて、イオン化（励起状態化）させて反応させることを用いて反応物を得て、また温度をかけて浸透させ反応させる方法である。また、炭素鎖ｅｔｃ．が切れる事を利用して励起を速くするする方法も加えた製法である。
【０００３】
【発明の効果】ダイヤモンドは立体構造が均一であり、透明であるのでレーザーとして有用である。またエメラルドｅｔｃ．も立体構造として均一ではないが色の変化によりレーザーとして新たな有用性がある。透明な反応物は、透明半導体として有用である。
【図面の簡単な説明】
【図１】物質浸透法の器具の断面図である。
【図２】器具を利用したときの断面図である。
【符号の説明】
１  Ｃ，Ａｌｅｔｃ．
２  Ｃ，Ａｌ，オゾン，酸，塩基，中性基ｅｔｃ．
３  Ｋ，Ｃａｅｔｃ．（少量）
４  Ｋ，Ｃａｅｔｃ．（多量）
５  コイルのボリューム
６  ＋イオン放電管ｏｒ−イオン放電管のボリューム
７  反応速度が８に比べて速い
８  反応速度が７に比べて遅い
９  金属管（反応に応じてコーティング）
【図１】
2004359535.tif 000002
【図２】
2004359535.tif 000003
(57)【要約】【課題】料理の演出や飾りなどとして使われる植物の枝や葉等を、乾燥による葉の縮み、丸まりを防ぎ、使用する際の葉や枝の破れ、破損をなくし、鮮度の保持性を高め、さらに取り扱いを簡単にした植物の枝、葉等の保存方法を提供する。【解決手段】パックＡの中に仕切り１を入れる、その上に葉ａを並べる、次にそのａの上に仕切り２をのせ葉ｂを並べる、さらにｂの上に仕切り３をのせ葉ｃを並べる、というようにこの作業を繰り返し、保存に必要な葉の数を入れ、最後に上の仕切り４をのせ、蓋Ｂ（ラップ等）をする。【選択図】  図２
2004359650.tif 000002
【特許請求の範囲】
【請求項１】
料理等の演出や飾りなどとして使われる植物の枝や葉ａを、セロハン、紙、保水性素材等の仕切り１の上に並べ、パックＡに入れ、その上に仕切り２を乗せ枝、葉ｂを並べる、さらに仕切り３、その上にｃ・・という具合にこの作業を繰り返し、保存に必要な枚数を入れ最後に蓋Ｂをした、鮮度の保持性を高め、しかも取り出し易くした植物の枝、葉等の保存方法である。
【発明の詳細な説明】
【０００１】
【発明の属する技術分野】
この発明は、料理の演出や飾りなどとして使われる植物の枝や葉が、お互いに何重にも重なることがないように、１段ごとに広げて並べ、それを複数段にしてパック詰めにするいう、植物の枝、葉等の鮮度の保持性を高めた保存方法である。
【０００２】
【従来の技術】
これまでは、葉の種類にもよるが、１０枚程度を１束として、それを輪ゴムなどで止め、それを何束かをまとめてパックに入れたり、又はパックに直接必要複数枚をそのまま入れるだけで、中間に仕切りを入れて区切るようなことはしないで保存していた。
【０００３】
【発明が解決しようとする課題】
本発明は、これまで料理の演出や飾りとして使われていた植物の枝や葉等が、お互いが何重にも重なったままパック詰めされることによって生じてた、ムレや変色、腐敗を防ぎ、またパックの包装を外した後の空気にさらされることによる乾燥、それによる葉の縮み、丸まりを防ぎ、さらにお互いが絡み合ってしまい、取り出そうとする時、葉や枝を破たり破損してしまうような事がなく、しかも、取り扱いを簡単にすることを課題に研究をした。
【０００４】
【課題を解決するための手段】
料理等の飾りなどとして使われる植物の枝や葉ａを、セロハン、紙、保水性素材等の仕切り１の上に並べ、パックＡに入れる。
次に、その上に仕切り２を乗せ、枝、葉ｂを並べる、さらに仕切り３、その上に葉ｃ・・という具合にこの作業を繰り返し、保存必要な枚数を入れ最後に蓋Ｂをする。
【０００５】
【発明の実施の形態】
イ），葉が何重にも重ならないようにするための仕切り１（セロハン、紙、保水性素材等）、の上に葉ａを（完全に１枚ずつ離すか、軸を少しづつずらす程度で）並べる、次に２のうえにｂ、さらに３の上にｃ、という具合にこの作業を繰り返し必要な数だけ用意する。
ロ），パックＡに、葉ａを乗せた仕切り１を入れる、その１の上に葉ｂを乗せた仕切り２を重ねる、さらにその２の上に葉ｃを乗せた仕切り３を重ねる・・・・この作業を数回繰り返し、保存に必要な数だけの枝、葉等をパックに詰め、最終仕切りの４をのせ最後にパックＡにしっかり蓋Ｂをする。
【０００６】
【発明の効果】
１段ずつ仕切ってあるので、枝、葉等が空気に触れる部分が少なく、そのため乾燥を防げ、使用前に一旦水に浸けて、水分を補給するというような手間も省くことができ、各段がそれぞれ重石のような働きにもなり、葉等が丸まってしまうという変形をも防ぐ事ができる。
また、葉と葉の間に残っている水分によって葉同士がお互いに、ピッタリくっついてしまったり、いっしょくたんに入れたときに起こりがちな、絡み合う事もないので、取り出す際に葉や枝を破いたり破損することもなく使いたい分だけを、最良な状態で１枚ずつ簡単に取り出し使用する事ができる。
さらに、各段それぞれが、適当な水分と空気を保っているので、枝、葉等の腐敗、変色を長時間防ぎ、鮮度の保持性を高めることができる。
【図面の簡単な説明】
【図１】本発明を示す斜視図
【図２】本発明示す断面図
【符号の説明】１，２，３，４、は仕切り  ａ，ｂ，ｃ、は葉  Ａ、はパック
Ｂ、は蓋
【図１】
2004359650.tif 000003
【図２】
2004359650.tif 000004
(57)【要約】［課題］歯みがきや、うがいは虫歯や歯周炎の進行を遅くするが特に就寝中の進行を完全防止することができない。また寝たきりなどで歯みがきを自分でできない方には苦痛である。また積極的に口内の生態環境を改善して歯周炎を治癒することができない。［解決する手段］辛い種類のさや唐辛子たとえば鷹の爪または近い種類のさや唐辛子の両端を切って種子をとり除く。就寝時は歯磨きしないでこれを１個ないし３個上唇と歯の間に保持すれば虫歯や歯周炎の進行は止まるかむしろ改善される。【特許請求の範囲】
【請求項１】
両端を切って種子を取り除いたさや唐辛子
【請求項２】
両端を切って種子を取り除いた口内健康用さや唐辛子
【請求項３】
数センチ長さに切って種子を取り除いた口内健康用さや唐辛子
【発明の詳細な説明】
【０００１】［発明の属する技術分野］
この発明は、口内にさや唐辛子を保持することによって虫歯を防ぎ歯周炎を改善する方法および形態に関する。
【０００２】［従来の技術］
口内の虫歯や歯周炎を防ぐためには歯みがきや、うがいによる口内の清掃および殺菌の実施が奨励されてきた。歯みがきしないで就寝中の虫歯進行を防ぐ方法はなかった。
【０００３】［発明が解決しようとする課題］
歯みがきや、うがいは口内の清掃や殺菌であって虫歯や歯周炎の進行を遅くするが特に就寝中の進行を完全防止することができない。また積極的に口内の生態環境を改善して歯周炎を治癒することがない。
【０００４】［課題を解決するための手段］
辛い種類の唐辛子の両端を切って種子をとり除く。これを上唇と上の歯の間に保持すれば歯みがきしなくても虫歯や歯周炎はなくなる。
【０００５】［発明の実施の形態］
辛い種類のさや唐辛子たとえば鷹の爪または近い種類のさや唐辛子の両端を切って種子をとり除く。したがって長さは１個あたり２〜８センチメートルになる。これを１〜３個上唇と上の歯の間に保持する。唐辛子さやの種子をとり除くことによって上記口内に保持しやすくなり、かつ両端を切ることによって辛味成分の溶出速度が適度になる。
【０００６】［実施例］
市販の唐辛子さやの両端を切って種子をとり除く。
就寝時は歯磨きしないでこれを１〜３個上唇と歯の間に保持する。
慣れないうちは少量から始める。
昼間も同様であるが喋るときなどは慣れないうちは飛び出しやすいので注意する。また口を動かすため溶出がはやくなるので注意する。
保持して辛すぎるときは口からとりだすか、飲食物を摂るかしてしばらくすれば収まる。適量を知って保持する。
１日中保持するとして交換回数は４〜８回である。
食事するときは同時に食べれば差し支えない。
１週間の実施で効果があらわれる。
【０００７】［発明の効果］
虫歯や歯周炎の進行は止まり改善される。
風邪をひきにくくなる。
(57)【要約】【課題】従来、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）に対する有効な治療方法は開発されておらず、医療機関に収容された後、自然治癒を待つのが現在の治療方法となっている。また、予防方法もマスクの着用、手洗い、うがい、消毒などしか方法が無い。しかしながら現実において、何らかの有効な治療および予防の方法が必要とされている。【解決手段】本発明は、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防を重水素減少水（スーパーライトウォーター）による体内の重水濃度の低下による免疫力を強化する方法で治療および予防を行なうことである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）による重症急性呼吸器症候群（ＳｅｖｅｒｅＡｃｕｔｅ  Ｒｅｓｐｉｒａｔｏｒｙ  Ｓｙｎｄｒｏｍｅ＝ＳＡＲＳ）の治療および予防。
【発明の詳細な説明】
【０００１】
【発明の属する技術分野】
本発明は、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防を重水素減少水（スーパーライトウォーター）によっておこなうものである。
【０００２】
【従来の技術】
重症急性呼吸器症候群（Ｓｅｖｅｒｅ  Ａｃｕｔｅ  ＲｅｓｐｉｒａｔｏｒｙＳｙｎｄｒｏｍｅ＝ＳＡＲＳ）に対する有効な治療方法は開発されておらず、医療機関に収容された後、自然治癒を待つのが現在の治療方法となっている。
【０００３】
また、予防方法もマスクの着用、手洗い、うがい、消毒などしか方法が無い。
【０００４】
【発明が解決しようとする課題】
しかしながら現実において、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）は東アジアを中として発生しており、何らかの有効な治療および予防の方法が必要とされている。
【０００５】
【課題を解決するための手段】
本発明者等は係る課題を解決するために鋭意研究したところ、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防を重水素減少水（スーパーライトウォーター）による体内の重水濃度の低下による免疫力を強化する方法を開発して、本発明を提供するものである。
【０００６】
すなわち本発明は重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防に最適な重水素減少水（スーパーライトウォーター）を飲用や重水素減少水（スーパーライトウォーター）を原料とした生理的食塩水を点滴により体内に注入し、体内の重水素濃度を低下させることを特徴とする重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防方法である。
【０００７】
【発明の実施の形態】
本発明は重水素減少水（スーパーライトウォーター）を飲用や重水素減少水（スーパーライトウォーター）を原料とした生理的食塩水を点滴で体内に注入しより効果的に体内の重水濃度を低下させる。
【０００８】
重水素濃度が１４９ｐｐｍ以下になるとたんぱく質結合が弱くなり、新陳代謝が高まり細胞の活性化、免疫細胞の増加の促進の効果がある。
【０００９】
【発明の効果】
以上説明したように、本発明によれば重水素濃度１４０ｐｐｍ以下の重水素減少水（スーパーライトウォーター）を飲用や重水素減少水（スーパーライトウォーター）を原料とした生理的食塩水を点滴することにより、体内の重水素濃度の低下にともない細胞の活性化、免疫細胞の増加の効果があり、人体の免疫機能が強化されることにより、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の自然治癒を促進する。また、免疫機能が強化されることにより予防にも効果がある。
(57)【要約】      （修正有）【課題】健康食品といわれる海洋深層水は、重水濃度は高く１５６ｐｐｍ前後という測定結果が出ているこのため成人病やガンなどを引き起こす可能性が高いことや従来の治療や健康食品による体質改善が治療として成果が上がらないこともあった。【解決手段】重水素減少水（スーパーライトウォーター）と海洋深層水を混合した飲用水（海洋深層超軽水）を使用してガン、再生不良性貧血、糖尿病、白血病、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）等の治療、予防および免疫力の強化、睡眠不足の解消、時差ぼけ、ＮＫ細胞を増強することによる皮膚の若返り、アンチエイジングを行う。【選択図】なし【特許請求の範囲】
【請求項１】
水と、１３０ｐｐｍ以下の含有量の重水素を有し、又は、活性剤として、１３０ｐｐｍ以下の含有量の重水素を含み、担体又は助剤と共に、製薬学的な製品或いは医薬溶液の形での、ヒトに適する水性溶液である、重水素減少水（スーパーライトウォーター）と海洋深層水を混合し重水濃度が１４０ｐｐｍ以下の飲用水（海洋深層超軽水）を製造する。
【請求項２】
重水素減少水（スーパーライトウォーター）と海洋深層水を混合し重水素濃度が１４０ｐｐｍ以下の飲用水（海洋深層超軽水）によってガン、再生不良性貧血、糖尿病、白血病、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）等の幅広い病気の治療、予防、免疫力の強化、睡眠不足の解消、時差ぼけ、ＮＫ細胞を増強による皮膚の若返り、アンチエイジングを行う。
【発明の詳細な説明】
【０００１】
【発明の属する技術分野】
本発明は、ガン、再生不良性貧血、糖尿病、白血病、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）等の幅広い病気の治療、予防、免疫力の強化、睡眠不足の解消、時差ぼけ、ＮＫ細胞を増強による皮膚の若返り、アンチエイジングを重水素減少水（スーパーライトウォーター）と海洋深層水を混合した飲用水（海洋深層超軽水）を製造し飲用することによっておこなうものである。
【０００２】
【従来の技術】
一般にガン、再生不良性貧血、糖尿病、白血病等の治療は外科手術、放射線治療、投薬治療などで対処するのが通常であるが、この場合、当人が病院や診療所に直接行って治療を受ける。重症急性呼吸器症候群（Ｓｅｖｅｒｅ  ＡｃｕｔｅＲｅｓｐｉｒａｔｏｒｙ  Ｓｙｎｄｒｏｍｅ＝ＳＡＲＳ）は治療方法が発見されていない。
【０００３】
また、免疫力の強化、睡眠不足の解消、時差ぼけ、皮膚の若返り、アンチエイジングに効果がある健康食品、海洋深層水が多数販売されている昨今において、さまざまな健康食品を入手して体質改善をする対象者が増えている。
【０００４】
従来の海洋深層水は、ミネラルなど豊富でその他の有効成分があるため人体に良い影響があるといわれている。しかし重水濃度は高く１５６ｐｐｍ前後という測定結果が出ているこのため成人病やガンなどを引き起こす可能性が高い。
【０００５】
【発明が解決しようとする課題】
しかしながら現実において、従来の治療や健康食品による体質改善が治療として成果が上がらないこともあった。
【０００６】
【課題を解決するための手段】
本発明者等は係る課題を解決するために鋭意研究したところ、ガン、再生不良性貧血、糖尿病、白血病、重症急性呼吸器症候群（ＳｅｖｅｒｅＡｃｕｔｅ  Ｒｅｓｐｉｒａｔｏｒｙ  Ｓｙｎｄｒｏｍｅ＝ＳＡＲＳ）等の幅広い病気の治療、予防および免疫力の強化、睡眠不足の解消、時差ぼけ、ＮＫ細胞を増強することによる皮膚の若返り、アンチエイジングを重水素減少水（スーパーライトウォーター）と海洋深層水を混合した飲用水（海洋深層超軽水）を開発して、本発明を提供するものである。
【０００７】
すなわち本発明はガン、再生不良性貧血、糖尿病、白血病、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）等の幅広い病気の治療、予防、免疫力の強化、睡眠不足の解消、時差ぼけ、ＮＫ細胞を増強による皮膚の若返り、アンチエイジングに最適な重水素減少水（スーパーライトウォーター）と海洋深層水混合した飲用水（海洋深層超軽水）を飲用し、体内の重水素濃度を低下させることを特徴とするガン、再生不良性貧血、糖尿病、白血病、重症急性呼吸器症候群（Ｓｅｖｅｒｅ  ＡｃｕｔｅＲｅｓｐｉｒａｔｏｒｙ  Ｓｙｎｄｒｏｍｅ＝ＳＡＲＳ）等の幅広い病気の治療、予防、免疫力の強化、睡眠不足の解消、時差ぼけ、ＮＫ細胞を増強による皮膚の若返り、アンチエイジングの方法、および重水素減少水（スーパーライトウォーター）と海洋深層水混合した飲用水（海洋深層超軽水）の製造方法である。
【０００８】
【発明の実施の形態】
本発明は重水素減少水（スーパーライトウォーター）と海洋深層水を混合した飲用水（海洋深層超軽水）を飲用し、より効果的に体内の重水濃度を低下させる。
【０００９】
重水素濃度が１４０ｐｐｍ以下になるとたんぱく質結合が弱くなり、新陳代謝が高まり分解しやすくなる。結合が弱くなったガン細胞をＮＫ細胞や抗癌剤で壊死させる。
【００１０】
また、体内の重水濃度を低下させることは再生不良性貧血、糖尿病、白血病等の幅広い病気の治療、予防に効果がある。
【００１１】
体内の重水濃度の低下にともない新陳代謝が高まり免疫力の強化、睡眠不足の解消、時差ぼけ、ＮＫ細胞を増強による皮膚の若返り、アンチエイジングに効果がある。免疫力の強化は、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療および予防に効果がある。
【００１２】
重水素減少水（スーパーライトウォーター）と海洋深層水を混合した飲用（海洋深層超軽水）の製造は、重水濃度２５ｐｐｍから１３０ｐｐｍの重水素減少水（スーパーライトウォーター）を海洋深層水と混合し海洋深層水の重水濃度を１４０ｐｐｍ以下に下げることによって製造することができる。
【００１３】
【発明の効果】
以上説明したように、本発明によれば重水素濃度１３０ｐｐｍ以下の重水素減少水（スーパーライトウォーター）と海洋深層水を混合した飲用水（海洋深層超軽水）を飲用し体内の重水素濃度を低下させることにより、新陳代謝を高め、結合の弱くなったガン細胞をＮＫ細胞や抗癌剤で壊死させることが可能となる。また、体内の重水濃度を低下させることは再生不良性貧血、糖尿病、白血病、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）等の幅広い病気の治療、予防に効果があり、体内の重水濃度の低下にともない新陳代謝が高まり免疫力の強化、睡眠不足の解消、時差ぼけ、ＮＫ細胞を増強による皮膚の若返り、アンチエイジングにも効果がある。また、重水素減少水（スーパーライトウォーター）と海洋深層水を混合した飲用水（海洋深層超軽水）は重水濃度２５ｐｐｍから１３０ｐｐｍの重水素減少水（スーパーライトウォーター）を海洋深層水と混合をすることによって容易に製造することが可能である。